(57)【特許請求の範囲】
【請求項１】
平坦部の左端には左貫通孔が等間隔で横水平方向に穿設されている左起立部を垂直に連設するとともに前記平坦部の右端には右貫通孔が等間隔で横水平方向に穿設されている右起立部を連設し、前記平坦部の左端部の下面にはＬ字型の左係止材を、右端部の下面にはＬ字型の右係止材を突設し、前記Ｌ字型の左右係止材の水平部の下面には左右ナットを固定し前記左右ナットには左右調節ネジの上端が前記左右水平部の上面より上方に突出するように螺合し取り付けたコ字状型の受け金具と、基台の上面の中央部に、外周面にはネジ山が形成され左右ハンドルを有し螺合部を有する下調節ネジを螺合させた下支持棒を垂直に固定した支持台と、前記受け金具の下面に左右係止材間に挟着するように係止され左右調節ネジにより固定される保持板が上端に固定され外周面にネジ山が形成されている上支持棒に左右ハンドルを有するとともに螺合部を有する上調節ネジを螺合させ、上部には前記上支持棒を挿入するとともに下部には前記下支持棒を挿入し、支持管を前記上調節ネジと前記下調節ネジ間に取り付けた支持脚とからなることを特徴とする大引受け。
【発明の詳細な説明】
【０００１】
【発明の属する技術分野】
本発明は、道路建設工事、ビル建設工事等の建設作業をする際に使用し、大引きを支持する大引受けの改良に関する発明である。
【０００２】
【従来の技術】
従来、道路建設工事、ビル建設工事等の建設作業をする際に使用する大引受けは、大引きを受けとめる金具が一定の幅の大引きのみを支持する構造であるとともに、大引きを受けとめる金具の位置は固定されているものが大半である。
【０００３】
【発明が解決しようとする課題】
しかしながら、このような従来の大引受けでは、大引きが工事規模内容により大きい大引きを設置し、従来の大引きよりも幅の大きい大引きを支持する場合には、別個の大引受けを設置しなければならなかった。
【０００４】
そのために、異なる幅のあるしかも大きい大引きを支持させるためには、幅が大きい大引受けを新たに設置しなおさなければならず、大引受けの取り替え作業は極めて時間がかかるために作業能率が極めて悪かった。
【０００５】
そこで、本発明は、大引きの大きさが変わっても、大引受け自体を取り替え設置する必要性がなくなるので作業能率が極めて良く、しかも高低の位置調節が容易にでき、大引受けの内部に収納されて支持されている大引きを撤去、解体することが容易にできる大引受けを提供することを目的とするものである。
【０００６】
【課題を解決するための手段】
本発明は、上記の課題を解決するために、平坦部２ｇの左端には左貫通孔２ｅ、２ｅ、２ｅが等間隔で横水平方向に穿設されている左起立部２ａを垂直に連設するとともに前記平坦部２ｇの右端には右貫通孔２ｆ、２ｆ、２ｆが等間隔で横水平方向に穿設されている右起立部２ｂを連設し、前記平坦部２ｇの左端部の下面にはＬ字型の左係止材２ｌを、右端部の下面にはＬ字型の右係止材２ｌを突設し、前記Ｌ字型の左右係止材２ｌ、２ｍの水平部２ｏ、２ｐの下面には左右ナット２ｉ、２ｊを固定し前記左右ナット２ｉ、２ｊには左右調節ネジ２ｃ、２ｄの上端が前記左右水平部２ｏ、２ｐの上面より上方に突出するように螺合し取り付けたコ字状型の受け金具２と、基台４ａの上面の中央部に、外周面にはネジ山が形成され左右ハンドル４ｅ、４ｆを有し螺合部４ｄを有する下調節ネジ４ｃを螺合させた下支持棒４ｂを垂直に固定した支持台４と、前記受け金具２の下面に左右係止材２ｌ、２ｍ間に挟着するように係止され左右調節ネジ２ｃ、２ｄにより固定される保持板３ｅが上端に固定され、外周面にネジ山が形成されている上支持棒３ｆに左右ハンドル３ｉ、３ｊを有するとともに螺合部３ｈを有する上調節ネジ３ｂを螺合させ、上部には前記上支持棒３ｆを挿入するとともに下部には前記下支持棒４ｂを挿入し、支持管３ａを前記上調節ネジ３ｂと前記下調節ネジ４ｃ間に取り付けた支持脚３とからなることを特徴とする大引受けの構成とした。
【０００７】
【実施例】
以下に、添付図面に基づき、本発明である大引受けについて詳細に説明する。図１は本発明である大引受けの正面図、図２は本発明である大引受けの左側面図、図３は本発明である大引受けの平面図である。
【０００８】
図１、図２及び図３に示すように、本発明である大引受け１は、受け金具２と支持脚３と支持台４とからなる。
【０００９】
前記受け金具２は、平坦部２ｇと平坦部２ｇの左端に垂直に連設する起立する左起立部２ａと平坦部２ｇの右端に連設する右起立部２ｂとからなり、図３に示すように、コ字状型かつ略立方体形状の受け金具である。
【００１０】
図１及び図２に示すように、左右起立部２ａ、２ｂの左斜め上のコーナ及び右斜め上のコーナは共に隅切がされているとともに、左起立部２ａ及び右起立部２ｂには左貫通孔２ｅ、２ｅ、２ｅと右貫通孔２ｆ、２ｆ、２ｆが等間隔で横水平方向に穿設されている。
【００１１】
また、図１及び図２に示すように、受け金具２の平坦部２ｇの左端部及び右端部の下面２ｈには、左係止材２ｌ及び右係止材２ｍが下方に突設するように設けられている。前記左右係止材２ｌ、２ｍはＬ字型である。
【００１２】
そして、図１に示すように、左係止材２ｌの水平部２ｏの下面には左ナット２ｉが固定されている。左ナット２ｉには左調節ネジ２ｃが螺合されていて、左調節ネジ２ｃの上端部は水平部２ｏを貫通し、水平部２ｏの上面より突出している。
【００１３】
同様に、図１に示すように、右係止材２ｍの水平部２ｐの下面には右ナット２ｊが固定されている。右ナット２ｊには右調節ネジ２ｄが螺合されていて、右調節ネジ２ｄの上端部は水平部２ｐを貫通し、水平部２ｐの上面より上方に突出している。
【００１４】
図１及び図２に示すように、支持脚３は、支持管３ａと上調節ネジ３ｂと保持板３ｅが上端に固定されている上支持棒３ｆとからなる。符号６は、地面である。
【００１５】
支持管３ａは、下支持棒４ｂの螺合部４ｄの上に設置されていて、中空の円筒管である。上支持棒３ｆの外周面にネジ山が形成されていて、上支持棒３ｆには上調節ネジ３ｂが螺合されている。
【００１６】
図３に示すように、正方形状に形成されている保持板３ｅが上端に固定されている上支持棒３ｆには、受け金具２の高低を調節するための上調節ネジ３ｂが螺合されている。
【００１７】
上調節ネジ３ｂを回転すると上調節ネジ３ｂが上支持棒３ｆの外周面を上下動する。下調節ネジ３ｂには螺合部３ｈがあり、螺合部３ｈ内に形成されている挿入孔に上支持棒３ｆが螺合されいる。
【００１８】
螺合部３ｈの左端には左ハンドル３ｉが左方に突出するように連設されているとともに及び螺合部３ｈの右端には右ハンドル３ｊが突出するように連設されている。
【００１９】
図１及び図４に示すように、上支持棒３ｆの上端には保持板３ｅが固定されているとともに、下調節ネジ３ｂが螺合されている上支持棒３ｆは、支持台４の基台４ａの中央部に固定されている下支持棒４ｂに設置されている支持管３ａ内に挿入して支持管３ａの上端に設置されている。
【００２０】
図１、図２、図４及び図５に示すように、支持台４は、基台４ａと下支持棒４ｂと下調節ネジ４ｃとからなる。基台４ａは、正方形状に形成されている。基台４ａの上面の中央部には、下支持棒４ｂが垂直に固定されている。下支持棒４ｂの外周面にはネジ山が形成されている。
【００２１】
下支持棒４ｂには、受け金具２の高低を調節するための下調節ネジ４ｃが螺合されていて、下調節ネジ４ｃを回転すると下調節ネジ４ｃが下支持棒４ｂの外周面を上下動する。下調節ネジ４ｃは、螺合部４ｄ内に形成されている挿入孔に下支持棒４ｂが螺合されいる。
【００２２】
図１、図２、図４及び図５に示すように、螺合部４ｄの左端には左ハンドル４ｅが左方に突出するように連設されているとともに及び螺合部４ｄの右端には右ハンドル４ｆが突出するように連設されている。
【００２３】
本願発明である大引受け１の受け金具２の内部２ｋに収納することができる大引きの大きさ、即ち、幅ａは、１４０センチメートルから１６０センチメートルの大引きを収納し、支持することができる。
【００２４】
図４は、本発明である大引受けの受け金具を保持板から取り外した状態を示す正面図である。図４に示すように、受け金具２の下面２ｈに左右係止材２ｌ、２ｍ間に挟着するように係止され固定されていた保持板３ｅを取り外すことができる。符号２ｎはストッパーであり、このストッパー２ｎは、保持板３ｅが受け金具２の下部から脱外しないようにするためのストッパーである。
【００２５】
図５は、本発明である大引受けの縦断面図をである。符号ａは、受け金具２の内部２ｋの幅である。この内部２ｋの幅ａが本発明である大引受け１が支持する大引き５の幅ａの大きさである。
【００２６】
図５に示すように、上支持棒３ｆの下部は、支持脚３の支持管３ａの上部の中空３ｃに挿入されている。また、基台４ａに固定されている下支持棒４ｂの上部は、同様に支持管３ａの下部の中空３ｃに挿入されている。
【００２７】
上支持棒３ｆに螺合されている上調節ネジ３ｂを右回転又は左回転させることにより受け金具２の高低を調節することができる。また、下支持棒４ｂに螺合されている下調節ネジ４ｃを左方向又は右方向に回転することにより支持管３ａ及び受け金具２の高低を調節することができる。
【００２８】
図６は、本発明である大引受けにより大引きを支持している状態を示した側面図である。図６に示すように、大引き５は、受け金具２の内部２ｋに収納して支持するのである。
【００２９】
【発明の効果】
本願発明は、以上に述べた構成であるから、大引きの大きさが変わっても、大引受け自体を取り替え設置することがなく、大引きを受けとめる受け金具のみを取り替えればよいので作業能率が極めて良く、しかも高低の位置を微調節を容易にできる。
【００３０】
また、分解できるので極めて狭い場所に収納保管することができるとともに、運搬が容易である。
【００３１】
更に、大引受けの受け金具の内部に収納されて支持されている大引きを撤去、解体する際には、受け金具を取り外すことができるので容易に撤去、解体することができる。
【図面の簡単な説明】
【図１】  本発明である大引受けの正面図である。
【図２】  本発明である大引受けの左側面図である。
【図３】  本発明である大引受けの平面図である。
【図４】  本発明である大引受けの受け金具を保持板から取り外した状態を示す正面図である。
【図５】  本発明である大引受けの縦断面図をである。
【図６】  本発明である大引受けにより大引きを支持している状態を示した側面図である。
【符合の説明】
１          大引受け
２          受け金具
２ａ        左起立部
２ｂ        右起立部
２ｃ        左調節ネジ
２ｄ        右調節ネジ
２ｅ        左貫通孔
２ｆ        右貫通孔
２ｇ        平坦部
２ｈ        下面
２ｉ        左ナット
２ｊ        右ナット
２ｋ        内部
２ｌ        左係止材
２ｍ        右係止材
２ｎ        ストッパー
２ｏ        水平部
２ｐ        水平部
３          支持脚
３ａ        支持管
３ｂ        上調節ネジ
３ｃ        中空
３ｄ        下端
３ｅ        保持板
３ｆ        上支持棒
３ｇ        上端
３ｈ        螺合部
３ｉ        左ハンドル
３ｊ        右ハンドル
４          支持台
４ａ        基台
４ｂ        下支持棒
４ｃ        下調節ネジ
４ｄ        螺合部
４ｅ        左ハンドル
４ｆ        右ハンドル
５          大引き
６          地面
【図１】
0003718771.tif 000002
【図２】
0003718771.tif 000003
【図３】
0003718771.tif 000004
【図４】
0003718771.tif 000005
【図５】
0003718771.tif 000006
【図６】
0003718771.tif 000007